(57)【要約】【課題】ノズル部の吐出口から吐出される泡を、容易に狙った位置に吐出することができるフォーマーディスペンサーを提供する。【解決手段】容器１００内の内容液を泡状にして吐出させるフォーマーディスペンサー１であって、容器１００の口部１０１に保持されるベースキャップ１０と、ベースキャップ１０により容器１００の内側に保持され内容液及び空気をそれぞれ吸引、圧送可能な内容液用ポンプ２１及び空気用ポンプ２２と、ベースキャップ１０に固定保持され、内容液用ポンプ２１及び空気用ポンプ２２から圧送された内容液及び空気を混合して発泡させた泡状内容液が吐出される吐出口６１を有するノズル部６０と、ベースキャップ１０に対して押下げ可能な上方付勢状態で保持され、押下げ操作により内容液用ポンプ２１及び空気用ポンプ２２を作動させる押下げ部７０と、を備えることを特徴とする。【選択図】図１
2020104930.tif 000002
【特許請求の範囲】
【請求項１】
容器内の内容液を泡状にして吐出させるフォーマーディスペンサーであって、
容器の口部に保持されるベースキャップと、
該ベースキャップにより前記容器の内側に保持され内容液及び空気をそれぞれ吸引、圧送可能な内容液用ポンプ及び空気用ポンプと、
前記ベースキャップに固定保持され、前記内容液用ポンプ及び空気用ポンプにより圧送された内容液及び空気を混合して発泡させた泡状内容液が吐出される吐出口を有するノズル部と、
前記ベースキャップに対して押下げ可能な上方付勢状態で保持され、押下げ操作により前記内容液用ポンプ及び空気用ポンプを作動させる押下げ部と、を備えるフォーマーディスペンサー。
【請求項２】
前記押下げ部は、前記ベースキャップに形成された開口を貫通して、前記空気用ポンプにおけるエアピストンの上面に当接可能な脚部を有する、請求項１に記載のフォーマーディスペンサー。
【請求項３】
前記脚部は、前記吐出口が設けられた前側から見て左右両側に配置されている、請求項２に記載のフォーマーディスペンサー。
【請求項４】
前記ベースキャップは、前記脚部の径方向外側に配置されるガイド外筒と、前記脚部の径方向内側に配置されるガイド内筒と、を有する、請求項２又は３に記載のフォーマーディスペンサー。
【請求項５】
前記ノズル部は、前記ベースキャップの外周面よりも前方に突出するとともに、先端に前記吐出口が形成された吐出筒部を有する、請求項１〜４の何れか一項に記載のフォーマーディスペンサー。
【請求項６】
前記吐出筒部が、前記フォーマーディスペンサーの上端部に設けられている、請求項５に記載のフォーマーディスペンサー。
【発明の詳細な説明】
【技術分野】
【０００１】
本発明は、内容液と空気との混合物を泡状に吐出させるフォーマーディスペンサーに関するものである。
【背景技術】
【０００２】
シャンプー、ボディソープ、ハンドソープ、洗顔料等を収容する容器では、内容液の泡立て動作を省略して簡便な使用を図る観点から、容器内の内容液を直接泡状にして吐出することができるフォーマーディスペンサーを装備したものが多用されている。
【０００３】
このようなフォーマーディスペンサーとしては、容器の口部に保持されるベースキャップに、内容液を吸引し、圧送するピストンと、空気の吸引、圧送を行うエアピストンをそれぞれ同心に配置した単一のシリンダが取り付けられている。そして、ノズルヘッドを押圧して各ポンプ内のピストンを同期駆動させることで、内容液と空気をそれぞれ各シリンダ内に吸引するとともに圧送し、ポンプの出側における合流空間にて内容液と空気を混合させつつメッシュ等の発泡部材を通過させることによって、内容液を泡状にして吐出させる仕組みになっている（例えば、特許文献１参照）。
【先行技術文献】
【特許文献】
【０００４】
【特許文献１】特許第６１７０３９７号公報
【発明の概要】
【発明が解決しようとする課題】
【０００５】
ところで、上記のフォーマーディスペンサーにあっては、泡を吐出する際に押下げるヘッド部分と一体にノズル部が形成されているため、ヘッド部分を押下げる度に、ノズル部に形成された吐出口も上下に移動する構成となっている。そのため、吐出口から吐出される泡を狙った位置に吐出することが難しい場合があった。
【０００６】
それゆえ本発明は、ノズル部の吐出口から吐出される泡を、容易に狙った位置に吐出することができるフォーマーディスペンサーを提供することを目的とする。
【課題を解決するための手段】
【０００７】
本発明は、上記課題を解決するためになされたものであり、本発明のフォーマーディスペンサーは、容器内の内容液を泡状にして吐出させるフォーマーディスペンサーであって、
容器の口部に保持されるベースキャップと、
該ベースキャップにより前記容器の内側に保持され内容液及び空気をそれぞれ吸引、圧送可能な内容液用ポンプ及び空気用ポンプと、
前記ベースキャップに固定保持され、前記内容液用ポンプ及び空気用ポンプにより圧送された内容液及び空気を混合して発泡させた泡状内容液が吐出される吐出口を有するノズル部と、
前記ベースキャップに対して押下げ可能な上方付勢状態で保持され、押下げ操作により前記内容液用ポンプ及び空気用ポンプを作動させる押下げ部と、を備えることを特徴とするものである。
【０００８】
なお、本発明のフォーマーディスペンサーにあっては、前記押下げ部は、前記ベースキャップに形成された開口を貫通して、前記空気用ポンプにおけるエアピストンの上面に当接可能な脚部を有することが好ましい。
【０００９】
また、本発明のフォーマーディスペンサーにあっては、前記脚部は、前記吐出口が設けられた前側から見て左右両側に配置されていることが好ましい。
【００１０】
また、本発明のフォーマーディスペンサーにあっては、前記ベースキャップは、前記脚部の径方向外側に配置されるガイド外筒と、前記脚部の径方向内側に配置されるガイド内筒と、を有することが好ましい。
【００１１】
また、本発明のフォーマーディスペンサーにあっては、前記ノズル部は、前記ベースキャップの外周面よりも前方に突出するとともに、先端に前記吐出口が形成された吐出筒部を有することが好ましい。
【００１２】
また、本発明のフォーマーディスペンサーにあっては、前記吐出筒部が、前記フォーマーディスペンサーの上端部に設けられていることが好ましい。
【発明の効果】
【００１３】
本発明によれば、ノズル部の吐出口から吐出される泡を、容易に狙った位置に吐出することができるフォーマーディスペンサーを提供することができる。
【図面の簡単な説明】
【００１４】
【図１】本発明の一実施形態に係るフォーマーディスペンサーの側面視での断面図である。
【図２】図１のフォーマーディスペンサーの部分拡大図である。
【図３】図１のフォーマーディスペンサーの平面図である。
【図４】図１のフォーマーディスペンサーの押圧部を押し下げた状態を示す図である。
【発明を実施するための形態】
【００１５】
以下、図面を参照して、本発明の一実施形態に係るフォーマーディスペンサー１について詳細に説明する。なお、本願明細書、特許請求の範囲、要約書、及び図面において「上」方向、「下」方向とは、フォーマーディスペンサー１を装着した容器を水平面上に載置した、使用状態での向きを示す。また、押下げ部７０に対してノズル部６０の吐出口６１が位置する側を「前側」とし、逆側を「後側」としている。
【００１６】
図１に示すフォーマーディスペンサー１は、容器１００内の内容液を泡状にして吐出させる吐出具であり、容器１００の口部１０１に保持されるベースキャップ１０と、２つのポンプ２１、２２と、ベースキャップ１０に対して上下動しないように固定保持されたノズル部６０と、ベースキャップ１０に対して上下動可能に保持された押下げ部７０と、を備える。
【００１７】
容器１００は、例えば円筒状の口部１０１、口部１０１の下方に連なる筒状の胴部１０２、胴部１０２の下端を閉塞する底部１０３とを有する形状とすることができる。なお、容器１００の形状は図示例に限定されず、適宜変更可能である。
【００１８】
ベースキャップ１０は、フォーマーディスペンサー１を容器１００に保持するための部材である。図２に示すように、ベースキャップ１０は、容器１００の口部１０１の外周に嵌合させる周壁１１と、周壁１１の上端部において径方向内側に連なるフランジ状の頂壁１２と、頂壁１２の内周縁部に設けられたガイド外筒１３及びガイド内筒１４と、を有する。ガイド外筒１３及びガイド内筒１４は、ガイド外筒１３の下部とガイド内筒１４の下部とが環状壁１５で連結されており、環状壁１５には開口１６が形成されている。また、ベースキャップ１０は、頂壁１２から上方に突出する上部壁１７を有する。上部壁１７は、ノズル部６０が設けられた前方側を除いて円筒状（Ｃ字状）に形成された側壁である（図３参照）。上部壁１７の高さは、押下げ部７０の押下げ操作を阻害せず、且つ、図１に示すように押下げ部７０が全く押下げられていない初期状態で押下げ部７０の外側壁７２の内側が露出しない程度の高さとすることが好ましい。本例の上部壁１７の高さは、図４に示すように、押下げ部７０を最大まで押し下げた際の天壁７１の高さとほぼ等しい高さとなるように設定されている。なお、上部壁１７の高さによって、押下げ部７０の押下げ量（吐出量）を規定してもよい。
【００１９】
なお、本例では、ベースキャップ１０の周壁１１の内周面に設けた雌ねじ部を容器１００の口部１０１に設けた雄ねじ部に螺合させることにより、ベースキャップ１０が容器１００に着脱自在に保持される。なお、ベースキャップ１０を容器１００に保持するには、アンダーカット等の他の構成を用いることも可能である。
【００２０】
図１、２に示すように、２つのポンプ２１、２２（内容液用ポンプ２１及び空気用ポンプ２２）は、ベースキャップ１０によって容器１００の口部１０１の内側に保持される。内容液用ポンプ２１及び空気用ポンプ２２は、内容液と空気とをそれぞれ吸引及び圧送する。内容液用ポンプ２１及び空気用ポンプ２２は、単一のシリンダ部材２３を備え、シリンダ部材２３は、液用シリンダ２４と、液用シリンダ２４の上部に一体連結する底部を有するエアシリンダ２５とが同軸に直列状に配置された形態をなす。本例のエアシリンダ２５は、液用シリンダ２４よりも直径が大きくなるよう形成されているが、これに限られない。
【００２１】
シリンダ部材２３の上方には径方向外側に延在するフランジ２６が設けられていて、容器１００に保持されるにあたっては、このフランジ２６の下面側にパッキン２７を配置し、容器１００の口部１０１との間でパッキン２７を挟み込むようにしている。また、本例では、フランジ２６の上面から突出する嵌合凸部２８がベースキャップ１０の頂壁１２の下面に設けられた嵌合凹部１８に嵌り込むことにより、ベースキャップ１０に対してシリンダ部材２３が嵌合保持されるようにしている。
【００２２】
ここで、内容液用ポンプ２１は、液用シリンダ２４の底部において、容器１００内の内容液を流入させる吸引口２９を有している。また吸引口２９の縁部には、容器１００の底部１０３に向けて延在する吸引パイプ３１を嵌合保持するための嵌合筒３０を設けている。また液用シリンダ２４内には、液用シリンダ２４の内周面に当接するとともにその軸線Ｏに沿って摺動可能に設けられた液用ピストン３２が配され、液用ピストン３２の内側に形成される内部通路ｔ１には、ポペット３３が配される。液用ピストン３２は、中空ステム３６に固定保持されている。吸引パイプ３１の下端開口は、図１に示すように、容器１００の底部１０３の前方側に配置されていることが好ましい。これによれば、吐出口６１側（前方側）に容器１００を傾けて泡状内容液を吐出する際に、吸引パイプ３１の下端開口の周囲に内容液が溜まり易くなるため、最後まで内容液を吐出し易くなる。その結果、容器１００内に残留する内容液の量を低減することができる。
【００２３】
ポペット３３は、その下端に吸引口２９の開閉を行う下弁部３４を有し、その上端に内部通路ｔ１の出口の開閉を行う上弁部３５を有している。そして、液用ピストン３２の上部には、中空ステム３６が同軸状に連結されている。
【００２４】
中空ステム３６は、液用ピストン３２を取り囲む筒状壁３７と、筒状壁３７の中間部に一体的に連なる外側フランジ３８とを備えている。また、液用シリンダ２４内には、コイルスプリングＣが配されており、このコイルスプリングＣにより、液用ピストン３２及び中空ステム３６及びエアピストン４６は、上方に付勢された状態で上下に移動可能に弾性支持される。図２に示すように、筒状壁３７上部には、径方向内側に延在する内向きフランジ３９が設けられている。また、内向きフランジ３９の上方には、内向きフランジ３９を弁座とする第１ボール弁Ｂ１が設けられている。
【００２５】
上述した外側フランジ３８は、筒状壁３７の外周面から径方向外側に突出する。外側フランジ３８には、連通孔４０と、当該連通孔４０を開閉する第２ボール弁Ｂ２が設けられている。第２ボール弁Ｂ２は、外側フランジ３８の下面に設けられた支持突起部４１を弁座部としている。第２ボール弁Ｂ２は、連通孔４０を通じたエアピストン４６とエアシリンダ２５に囲まれた空間（エア圧縮空間）から第１通気路Ａ１に向けた空気の移動を許容し、逆に第１通気路Ａ１側からエア圧縮空間への移動を抑制する。
【００２６】
また、第２ボール弁Ｂ２とは異なる周方向位置において、外側フランジ３８の下面には、エアピストン４６が下降した際にエアシリンダ２５の底部に接触して中空ステム３６の移動範囲を規制する凸状のストッパー部４２が設けられている。ストッパー部４２を設けたことにより、第２ボール弁Ｂ２及び支持突起部４１がエアシリンダ２５の底部に接触するのを防止することができ、これにより、当該接触による第２ボール弁Ｂ２の機能低下等を防ぐことができる。なお、第１ボール弁Ｂ１及び第２ボール弁Ｂ２は、他の構造の逆止弁であってもよい。
【００２７】
また、外側フランジ３８の上面には環状の嵌合壁部４３が設けられており、当該嵌合壁部４３の内側にエアピストン４６の環状連結部５０の下部が嵌合保持される。本例では、環状連結部５０の下端部が、第２ボール弁Ｂ２の上方への移動を所定の範囲に規制する。また、嵌合壁部４３によって、環状連結部５０の外周に嵌合保持される逆止弁５１の脱落又は位置ずれ等を抑制することも可能である。
【００２８】
空気用ポンプ２２は、図１に示すように、エアシリンダ２５の内周面に当接するとともにその軸線Ｏに沿って摺動可能に設けられたエアピストン４６を備えている。エアピストン４６は、中空ステム３６に固定保持されている。エアピストン４６の径方向内側には、中空ステム３６の上部を外側から取り囲むとともにベースキャップ１０のガイド内筒１４の径方向内側に配置される筒状ガイド４７が設けられている。
【００２９】
図１に示すように、中空ステム３６の外周面と筒状ガイド４７の内周面との相互間に形成される隙間は、空気を通す第１通気路Ａ１となっている。筒状ガイド４７の上端部は、ベースキャップ１０のガイド内筒１４の内周面に対して上下に摺動可能に構成されている。筒状ガイド４７の内側には、後述する保持リング５３が嵌合保持される。
【００３０】
エアピストン４６は、筒状ガイド４７から径方向外側に延在してエアシリンダ２５との相互間に空気を加圧するための空間を形成する隔壁４８を有する。隔壁４８には、エアシリンダ２５内に空気を導入する孔４９が設けられている。また隔壁４８の下面には、孔４９の径方向内側より垂下する上述の環状連結部５０が設けられていて、この環状連結部５０には、孔４９を開閉する逆止弁５１が嵌合保持されている。
【００３１】
筒状ガイド４７の上端部付近には、混合した内容液及び空気を発泡させるメッシュリング５２（発泡部材）を保持する保持リング５３が嵌合保持されている。
【００３２】
本実施形態のメッシュリング５２は、リング状となる本体部の一端部にメッシュが取り付けられたものである。また、本実施形態では総計２個のメッシュリング５２を、それぞれのメッシュが外側を向くように（メッシュを設けていない側が合わせ目となるように）して保持リング５３に取り付けている。
【００３３】
また保持リング５３は、メッシュリング５２を取り囲んで保持する上部筒部５３ａと、上部筒部５３ａに一体連結するとともに径方向内側に向けて下方に延在して該発泡部材を下方から支持する中間筒部５３ｂと、中間筒部５３ｂの下端部に設けられ内容液と空気の混合物を通過させるリング開孔５３ｃと、リング開孔５３ｃの直下に設けられてボール弁Ｂの上方への変位を規制する弁ストッパー５３ｄとを有する。なお、保持リング５３の下部（中間筒部５３ｂ及び弁ストッパー５３ｄ）は、中空ステム３６の上端部の内側に嵌合保持され、保持リング５３の外周面と中空ステム３６の上端部の内周面との間には、第１通気路Ａ１に連なる第２通気路Ａ２が形成される。
【００３４】
ノズル部６０は、ベースキャップ１０に対して固定保持され、２つのポンプ２１、２２から圧送された内容液及び空気を混合して発泡させた泡状内容液が吐出される吐出口６１を有する。
【００３５】
本例のノズル部６０は、ベースキャップ１０のガイド内筒１４の外周側に嵌合保持される装着筒部６２と、装着筒部６２の上端部に連なる水平筒部６３と、水平筒部６３の先端から上方に延在するように連なる鉛直筒部６４と、鉛直筒部６４の上端部に連なり前方に延在する吐出筒部６５とを有し、吐出筒部６５の先端開口が吐出口６１となっている。なお、ノズル部６０の形状は図示例に限定されるものではなく、適宜変更可能である。例えば、吐出口６１が上向き、下向き、左向き、または右向き等であってもよいし、斜めに傾斜した向きであってもよい。また、ノズル部６０は、本例のように複数の部材（本例では３つの部材）を結合して形成することができるが、これに限られず、単一の部材で形成してもよい。
【００３６】
図１、２に示すように、本例の吐出筒部６５は、ベースキャップ１０の外周面よりも吐出方向（前方）に突出しており、また、吐出筒部６５は、フォーマーディスペンサー１の上端部に設けられている。
【００３７】
押下げ部７０は、ベースキャップ１０に対して押下げ可能な上方付勢状態で保持され、押下げ操作により２つのポンプ２１、２２を作動させて吐出口６１から泡状内容液を吐出させることができるように構成されている。
【００３８】
具体的に、本例の押下げ部７０は、使用者が押下げ（押し込み）操作する平坦な天壁７１と、天壁７１の外縁部から垂下する外側壁７２と、外側壁７２の内側で天壁７１の下面から垂下する内側壁７３とを有する。内側壁７３の前側部分には、前方開口部７４が形成されている。前方開口部７４には、ノズル部６０の水平筒部６３が配置される。すなわち、ノズル部６０の水平筒部６３は内側壁７３の前方開口部７４を貫通するように配置される。
【００３９】
内側壁７３の下部には、内側壁７３の下面の一部から下方に延在する１つまたは複数の脚部７５が設けられている。なお、本実施形態では、平面視で円弧状、且つ、一対の脚部７５が、左右方向に対向配置されている。このように、吐出口６１が設けられた前側から見て左右両側に脚部７５を配置することで、エアピストン４６に対して左右均等に押圧力を伝えることができるので、真っ直ぐにエアピストン４６を押下げることが容易となる。また、ベースキャップ１０には、一対の脚部７５に対応する位置に開口１６が設けられている。脚部７５は、ベースキャップ１０の環状壁１５に形成された開口１６を貫通するように配置される。また脚部７５の下面は、エアピストン４６の隔壁４８の上面に当接し、押下げ部７０が押し下げられた際に、内側壁７３及び脚部７５を介してエアピストン４６を押下げることができるように構成されている。なお脚部７５は、真っ直ぐにエアピストン４６を押下げ易くするために、軸線Ｏの周りで周方向に均等に設けられていることがより好ましい。また、脚部７５の下端部近傍には、外側に突出する爪部７６が設けられており、当該爪部７６がベースキャップ１０の環状壁１５の下面に係合することで、脚部７５がベースキャップ１０から上方に抜け出すことがない（操作時において、押下げ部７０がベースキャップ１０から分離されない）ように構成されている。
【００４０】
なお、押下げ部７０の押下げ操作によりエアピストン４６がエアシリンダ２５に対して押下げられると、中空ステム３６及び液用ピストン３２も同時に押下げられるため、空気用ポンプ２２及び内容液用ポンプ２１を同時に作動させることができる。
【００４１】
このように構成されるフォーマーディスペンサー１において、押下げ部７０を下方に押し込むと、エアピストン４６の移動により、エアシリンダ２５及びエアピストン４６に囲まれた空間の空気が加圧され、かかる空気は、第２ボール弁Ｂ２を押し上げて連通孔４０を通過し、第１通気路Ａ１及び第２通気路Ａ２を通って、中空ステム３６と保持リング５３とで形成される合流空間Ｇに向かう。
【００４２】
一方、液用シリンダ２４では、ポペット３３の下弁部３４が液用シリンダ２４の内面に当接して吸引口２９が閉じ、液用シリンダ２４内が加圧され、更なる押下げ部７０の押し込みにより液用ピストン３２における内部通路ｔ１の出口からポペット３３の上弁部３５が離反し、内部通路ｔ１内に存在する内容液が、中空ステム３６の筒状壁３７内に流れる。そして第２通気路Ａ２を通り抜けた空気とともに合流空間Ｇへ流れる。
【００４３】
そして、合流空間Ｇにて気液混合状態となった内容液は、メッシュリング５２を通って泡状となり、ノズル部６０を通って吐出口６１から外界へ吐出される。押下げ部７０を押し切った後、押し込みにかかる力を取り除くと、コイルスプリングＣの反発力で液用ピストン３２、エアピストン４６、中空ステム３６、及び押下げ部７０は初期状態へと復帰する。このように、フォーマーディスペンサー１を容器１００に取り付けたフォーマーディスペンサー付き容器によれば、押下げ部７０の押し込みとその解除の繰り返しにより、泡状に内容液を吐出させることができる。
【００４４】
本実施形態のフォーマーディスペンサー１にあっては、ベースキャップ１０に対して押下げ部７０が上下に移動する際、ベースキャップ１０に固定保持されたノズル部６０が移動しないように構成されている。これにより、泡の吐出操作によってノズル部６０が不安定に動くことが抑制されるため、吐出口６１の位置及び吐出方向が安定し易くなる。したがって、本実施形態のフォーマーディスペンサー１によれば、狙った位置に容易に泡状内容液を吐出することが可能となる。
【００４５】
また、本実施形態のフォーマーディスペンサー１にあっては、押下げ部７０が、ベースキャップ１０に形成された開口１６を貫通してエアピストン４６の上面に当接可能な脚部７５を有することにより、（ノズル部６０及びベースキャップ１０に押し込み方向の力を伝えることなく）エアピストン４６に直接、押下げ部７０に加えられた力を伝えることができる。これにより、ノズル部６０の位置がより安定し易くなるため、狙った位置に泡状内容液を吐出し易くなる。
【００４６】
また、本実施形態のフォーマーディスペンサー１にあっては、ベースキャップ１０が、脚部７５の径方向外側に配置されるガイド外筒１３と、脚部７５の径方向内側に配置されるガイド内筒１４と、を有することにより、押下げ部７０の上下の移動が安定し易くなる。これにより、押下げ部７０を押下げる指の動きが安定するため、狙った位置に泡状内容液を吐出し易くなる。
【００４７】
また、本実施形態のフォーマーディスペンサー１にあっては、ノズル部６０が、ベースキャップ１０の外周面よりも前方に突出する吐出筒部６５を有する構成としている。これによれば、吐出筒部６５の先端の吐出口６１の位置が視認し易くなるため、狙った位置に泡状内容液を吐出し易くなる。同様に、吐出口６１の位置を視認し易くする観点から、吐出筒部６５がフォーマーディスペンサー１の上端部に設けられていることが好ましい。
【００４８】
上述したところは、本発明の一例を示したにすぎず、特許請求の範囲において、種々の変更を加えることができる。例えば、発泡部材をノズル部６０の水平筒部６３、鉛直筒部６４または吐出筒部６５等に設けてもよい。なお、内容物は、洗顔料や整髪料など、空気と混合させて泡状に吐出できるものであればよい。
【符号の説明】
【００４９】
１：フォーマーディスペンサー
１０：ベースキャップ
１１：周壁
１２：頂壁
１３：ガイド外筒
１４：ガイド内筒
１５：環状壁
１６：開口
１７：上部壁
１８：嵌合凹部
２１：内容液用ポンプ（ポンプ）
２２：空気用ポンプ（ポンプ）
２３：シリンダ部材
２４：液用シリンダ
２５：エアシリンダ
２６：フランジ
２７：パッキン
２８：嵌合凸部
２９：吸引口
３０：嵌合筒
３１：吸引パイプ
３２：液用ピストン
３３：ポペット
３４：下弁部
３５：上弁部
３６：中空ステム
３７：筒状壁
３８：外側フランジ
３９：内向きフランジ（弁座部）
４０：連通孔
４１：支持突起部（弁座部）
４２：ストッパー部
４３：嵌合壁部
４６：エアピストン
４７：筒状ガイド
４８：隔壁
４９：開孔
５０：環状連結部
５１：逆止弁
５２：メッシュリング
５３：保持リング
５３ａ：上部筒部
５３ｂ：中間筒部
５３ｃ：開孔
５３ｄ：弁ストッパー
６０：ノズル部
６１：吐出口
６２：装着筒部
６３：水平筒部
６４：鉛直筒部
６５：吐出筒部
７０：押下げ部
７１：天壁
７２：外側壁
７３：内側壁
７４：前方開口部
７５：脚部
７６：爪部
１００：容器
１０１：口部
１０２：胴部
１０３：底部
Ａ１：第１通気路
Ａ２：第２通気路
ｔ１：内部通路
Ｂ１：第１ボール弁
Ｂ２：第２ボール弁
Ｃ：コイルスプリング
Ｇ：合流空間
Ｏ：軸線
【図１】
2020104930.tif 000003
【図２】
2020104930.tif 000004
【図３】
2020104930.tif 000005
【図４】
2020104930.tif 000006